(57)【要約】【課題】  本発明は連結自在の文房具類収納ユニットに関し、特に複数の上部開口ボックス型ユニットを上部開口ボックス型ユニット毎に前後左右に連結可能とし、または分離可能とし、任意に組み合わせすることが可能なユニット連結体を構成することができる連結自在の文房具類収納ユニットに関する。【解決手段】  プラスチックで形成された複数の上部開口ボックス型ユニットを連結自在又は分離自在に構成した文房具類収納ユニットであって、各上部開口ボックス型ユニットの側面に形成された連結用孔部に、連結用凹状部品を嵌着し、該連結用凹状部品で隣接する側面下端部を挟持して上部開口ボックス型ユニットを前後左右方向に連結可能に構成した文房具類収納ユニットを提供する。【選択図】図１
2015093486.tif 000002
【特許請求の範囲】
【請求項１】
プラスチックで形成された複数の上部開口ボックス型ユニットを連結自在又は分離自在に構成したことを特徴とする連結自在の文房具類収納ユニット。
【請求項２】
各上部開口ボックス型ユニットの側面に形成された連結用孔部に、連結用凹状部品を嵌着し、該連結用凹状部品で隣接する側面下端部を挟持して上部開口ボックス型ユニットを前後左右方向に連結可能に構成したことを特徴とする請求項１記載の文房具類収納ユニット。
【請求項３】
上部開口ボックス型ユニットの内側に仕切りを形成すると共に、雛壇式の段差を設けたことを特徴とする請求項１記載の連結自在の文房具類収納ユニット。
【請求項４】
仕切り・雛壇式段差部一体成形体が上部開口ボックス型ユニットの内側収納部に着脱自在に構成されていることを特徴とする請求項１記載の連結自在の文房具類収納ユニット。
【請求項５】
上部開口ボックス型ユニットの底面の４辺の長さが、１：０．５又は１：１又は１：２の対比で形成されていることを特徴とする請求項１記載の連結自在の文房具類収納ユニット。
【発明の詳細な説明】
【技術分野】
【０００１】  本発明は連結自在の文房具類収納ユニットに関し、特に複数の上部開口ボックス型ユニットを上部開口ボックス型ユニット毎に前後左右に連結可能とし、または分離可能とし、任意に組み合わせすることが可能なユニット連結体を構成することができる連結自在の文房具類収納ユニットに関する。
【背景技術】
【０００２】  従来から勉強机の上に組立てられる書棚、物置棚等が提案されており、勉強机と一体的なセットとして販売に供給されていた。（例えば、特許文献１参照）【０００３】  また、紙葉類を自由に飾ることができる卓上用ボックスなどが考案されている。（例えば、特許文献２参照）
【先行技術文献】
【０００４】
【特許文献１】  特開２００５−３４８８５８号公報
【特許文献２】  特開２０００−１１８１９４号公報
【発明の開示】
【発明が解決しようとする課題】
【０００５】  前記せる特開２００５−３４８８５８号公報においては、机本体の上に下棚と上棚を着脱自在に設けた勉強机であって、取り外した上棚を独立した書棚・物置棚として例用できることが開示されている。【０００６】  また、前記せる特開２０００−１１８１９４号公報では、卓上に置き、小物類を収納する卓上ボックスであって、外周壁に写真やカレンダーを自由に飾ることのできるものであった。【０００７】  しかしながら前記せる卓上ボックスや書棚・物置棚として例用できる棚等は、いずれも一体的に形成された構造であって、収容物に応じて収納部を組み合わせて連結し、または複数の収納部ユニットを任意に組み合わせて連結して使用できる利便性を有するものではなかった。【０００８】  これに対して本発明の場合は、連結自在の文房具類収納ユニットに関し、特に複数の上部開口ボックス型ユニット毎に前後左右に連結可能とし、または分離可能にし、卓上のスペースに合わせて任意に組み合わせすることが可能なユニット連結体を構成することができる連結自在の文房具類収納ユニットに関するものであって、非常に利便性の高い文房具類収納ユニットである。
【課題を解決するための手段】
【０００９】  プラスチックで形成された複数の上部開口ボックス型ユニットを連結自在又は分離自在に構成したことを特徴とし、各上部開口ボックス型ユニットの側面に形成された連結用孔部に、連結用凹状部品を嵌着し、該連結用凹状部品で隣接する側面下端部を挟持して上部開口ボックス型ユニットを前後左右方向に連結可能に構成したことを特徴とし、上部開口ボックス型ユニットの内側に仕切りを形成すると共に、雛壇式の段差を設けたことを特徴とし、仕切り・雛壇式段差部一体成形体が上部開口ボックス型ユニットの内側収納部に着脱自在に構成されていることを特徴とし、且つ、上部開口ボックス型ユニットの底面の４辺の長さが、１：０．５又は１：１又は１：２の対比で形成されていることを特徴とする連結自在の文房具類収納ユニットを提供する。
【発明の効果】
【００１０】  本発明の文房具類収納ユニットによれば、文房具類の収納において、上部開口ボックス型ユニットを任意の方向に連結又は分離できるので、使用者にとって利用し易いように組み合わせて使用することができ、収納時には長さや大きさの異なる文房具でも一目瞭然でわかり易く配置されているので、使用する文房具類を即座に選んで使用することができる効果がある。【００１１】  また、本発明の基本的な構造を利用すれば、長さや大きさの異なる製図道具や、絵具、工具、部品等の収納にも応用することができる。
【図面の簡単な説明】
【００１２】
【図１】  上部開口ボックス型ユニットのユニット連結体の斜視図である。
【図２】  上部開口ボックス型ユニットのユニット連結体を分離した斜視図である。
【図３】  上部開口ボックス型ユニットの連結部構造例を示す斜視図である。
【図４】  上部開口ボックス型ユニットの連結部の断面図である。
【図５】  上部開口ボックス型ユニットの連結部の斜視図である。
【図６】  上部開口ボックス型ユニットの一例を示す斜視図である。
【図７】  仕切り・雛壇式段差部一体成形体の斜視図である。
【図８】  上部開口ボックス型ユニットの使用例を示す斜視図である。
【発明を実施するための形態】
【００１３】  図１に示すようにプラスチックで形成された上部開口ボックス型ユニット２，３，４が一体的に連結され、ユニット連結体１が形成されている。
【００１４】  また、図２に示すように、ユニット連結体１を分離することができる。
【００１５】  図２乃至図６に示すように、上部開口ボックス型ユニット２には収納部２４，３０，３５があり、収納部２４には後述する仕切り・雛壇式段差部一体成形体５を着脱することができる。
【００１６】  また、図３乃至図５に示すように、連結部構造例について説明する。
上部開口ボックス型ユニット２の側面２１には、連結用孔部２０が形成されており、上部開口ボックス型ユニット３の側面３７には連結用孔部３６が形成されている。
【００１７】  図３乃至図５に示す連結用凹状部品６を連結用孔部２０および連結用孔部３６に嵌着すると、図４乃至図５に示すように側面３７と側面２０のそれぞれの下端部が該連結用凹状部品６に挟持されて連結される。
【００１８】  上部開口ボックス型ユニット３の底面には筆記具の先端部が当接されるためにクッション材３４が敷かれている。
【００１９】  また、仕切り・雛壇式段差部一体成形体５の雛壇式段差部２５、２６、２７には、筆記具の先端部が当接されるためにそれぞれクッション材２５１、２６１、２７１が敷かれている。
【００２０】  図６に示す仕切りプレート２９によって仕切られた収納部３０，３５には短い筆記具をいれても筆記具の上部が露出するような構造であって筆記具が見易いようになっている。
【００２１】  また、図２に示すように、上部開口ボックス型ユニット４には仕切りプレート４４が着脱自在に形成されており、収納する物品によって、着脱して使用することができる。
【００２２】  また、上部開口ボックス型ユニット４の背面にも複数の連結用孔部が形成されており、前述せる連結用凹状部品６を用いて、上部開口ボックス型ユニット２の前面に形成されている連結用孔部２８および上部開口ボックス型ユニット３の前面に形成されている連結用孔部３２とに該連結用凹状部品６を嵌着して図１に示すようにユニット連結体１を形成することができる。
【００２３】  また、図６に示すように、上部開口ボックス型ユニット２内側の収納空間２４には仕切り２３が形成されており、仕切られた収納空間の底部には雛壇式段差部２５，２６，２７が一体的に設けられている。
【００２４】  この仕切り２３と雛壇式段差部２５，２６，２７は上部開口ボックス型ユニット２とは別個に一体的に形成されており、図７に示す仕切り・雛壇式段差部一体成形体５は上部開口ボックス型ユニット２に対して着脱自在とすることができる。
【００２５】  図７に示す仕切り・雛壇式段差部一体成形体５は必要に応じて上部開口ボックス型ユニット２から取り外して使用できるようにそれぞれ別個に形成されている。
【００２６】  従来のペン立て等には、雛壇式段差部２５，２６，２７がなかったので、全ての筆記具が見づらく、使用者が必要とする筆記具をすばやく見つけることができなかった。
【００２７】  したがって、長さの異なる筆記具類５２がそれぞれ雛壇式段差部２５，２６，２７に収納されていれば、全ての筆記具が一目瞭然で見易く、再度使用する時も見易くて便利である。
【００２８】  また、図８に示すように上部開口ボックス型ユニット３にはハサミ５３やポストイット５４、定規等の大きめな文房具を収納することができ、上部開口ボックス型ユニット２には筆記具類５１等を収納することができ、上部開口ボックス型ユニット４には、ホチキス５５、テープホルダー５６、消しゴム５７等を収納することができる。
【００２９】  その結果、机上で煩雑になりやすい文房具類をきれいに整頓することができる。
【００３０】  上部開口ボックス型ユニットの底面の４辺の長さが１：０．５又は１：１又は１：２の対比で形成されているので、上部開口ボックス型ユニット２，３，４の組み合わせ順序を任意に変更して組み合わせることができるので、机上の配置を有効に使用することができる。
【符号の説明】
【００２９】  １  ユニット連結体
２  上部開口ボックス型ユニト
２０  連結用孔部
２１  側面
２２  連結用孔部
２３  仕切り
２４  収納空間
２５  雛壇式段差部
２５１  クッション材
２６  雛壇式段差部
２６１  クッション材
２７  雛壇式段差部
２７１  クッション材
２８  連結用孔部
２９  仕切り
３０  収納空間
３  上部開口ボックス型ユニト
３１  底面
３２  連結用孔部
３３  収納空間
３４  クッション材
３５  収納空間
３６  連結用孔部
３７  側面
４  上部開口ボックス型ユニト
４１  連結用孔部
４２  連結用孔部
４３  連結用孔部
４４  仕切り
５  仕切り・雛壇式段差部一体成形体
５１  文房具類
５２  筆記具類
５３  ハサミ
５４  ポストイット
５５  ホチキス
５６  テープホルダー
５７  消しゴム
６  連結用凹状部品
【図１】
2015093486.tif 000003
【図２】
2015093486.tif 000004
【図３】
2015093486.tif 000005
【図４】
2015093486.tif 000006
【図５】
2015093486.tif 000007
【図６】
2015093486.tif 000008
【図７】
2015093486.tif 000009
【図８】
2015093486.tif 000010